(57)【特許請求の範囲】
【請求項１】
インターネットなどの通信ネットワークに接続されるカメラ付きドアホンであって、留守番モードの実行時に呼出操作がされたときには、来訪者を撮影し、予め登録されたメールアドレスを送信先とした電子メールを、撮影した来訪者の映像を添付ファイルとして添付して、上記通信ネットワークに送信することを特徴とするカメラ付きドアホン。
【請求項２】
来客に対し音声メッセージの入力を促すメッセージをスピーカより出力し、その後、来客の音声メッセージを入力して録音する構成になっており、録音した音声メッセージを、上記来訪者の映像とともに上記電子メールに添付ファイルとして添付することを特徴とする、請求項１に記載のカメラ付きドアホン。
【請求項３】
上記電子メールには、留守中の来客があったことを通知する所定メッセージが記載されていることを特徴とする、請求項１または請求項２に記載のカメラ付きドアホン。
【発明の詳細な説明】
【０００１】
【発明の属する技術分野】
本発明は、留守番モードの実行時には、来訪者の画像と音声とを記録する機能を備えるカメラ付きドアホンの改良に関する。
【０００２】
【従来の技術】
近時、住戸などの玄関先には、カメラ付きドアホンが多く設置されており、通常は、テレビインターホンと組み合わせて使用される。カメラ付きドアホンでは、来訪者が呼出操作をすれば、テレビインターホンからは、ドアホンが動作するのに必要な電源が供給され、カメラ付きドアホンはこれを受けて、来訪者の撮影を開始するとともに、マイクやスピーカなど、通話に必要な回路を動作させる。
【０００３】
このとき、テレビインターホンでは、所定の呼出音を鳴らせて住人を呼び出すとともに、カメラ付きドアホンによって撮影された映像を表示する。そして、住人が、所定の応答操作をすれば、表示された来訪者の映像を確認しながら、来訪者と通話することが可能となる。
【０００４】
また、このようなカメラ付きドアホンでは、住人の留守に備えて、留守番モード機能を備えている。すなわち、住人が留守をする際に留守番モードに設定しておけば、来訪者が呼出操作をしたときには、来訪者を撮影するとともに、来訪者からの音声メッセージを録音し、来訪者の映像と音声メッセージとを記録しておき、住人が帰宅した際に、所定の確認操作をすれば、記録した映像と音声メッセージとを確認することができる。
【０００５】
【発明が解決しようとする課題】
ところが、上記した従来のカメラ付きドアホンでは、住人は、留守中に記録された映像と音声メッセージを、帰宅してからでないと確認することができず、長期間留守にするときなどにおいて、外出先から確認したい場合でも、それができず不便であった。
【０００６】
本発明は、上記事情を考慮してなされたものであり、住人の留守中にあった来客の映像と音声メッセージを、外出先から確認することのできるカメラ付きドアホンを提供することを目的としている。
【０００７】
【課題を解決するための手段】
上記目的を達成するために、本発明の請求項１に記載のカメラ付きドアホンでは、インターネットなどの通信ネットワークに接続されるカメラ付きドアホンであって、留守番モードの実行時に呼出操作がされたときには、来訪者を撮影し、予め登録されたメールアドレスを送信先とした電子メールを、撮影した来訪者の映像を添付ファイルとして添付して、通信ネットワークに送信する。
【０００８】
ここに、通信ネットワークには、インターネット、電話網やＩＳＤＮなどの公衆回線、専用線、ＬＡＮ、ＷＡＮなどのすべての電気通信回線を含んでいる。
【０００９】
請求項２に記載のカメラ付きドアホンでは、来客に対し音声メッセージの入力を促すメッセージをスピーカより出力し、その後、来客の音声メッセージを入力して録音する構成になっており、録音した音声メッセージを、上記来訪者の映像とともに上記電子メールに添付ファイルとして添付する。
【００１０】
請求項３に記載のカメラ付きドアホンでは、電子メールには、留守中の来客があったことを通知する所定メッセージが記載されている。
【００１１】
【発明の実施の形態】
以下に、本発明の実施の形態について、図面とともに説明する。図１は、本発明のカメラ付きドアホンの要部構成の一例を示すブロック図である。
【００１２】
このカメラ付きドアホン１は、ＣＰＵなどで構成され、以下の各部を制御する主制御部１０と、カメラＣによって撮影した画像を処理し映像信号にする映像処理部１１と、スピーカＳＰとマイクＭＩとを有し、テレビインターホンとの通話を可能とする音声処理部１２と、電子メールの送信先となるメールアドレスを登録したＲＡＭ１３と、このカメラ付きドアホン１が動作するために必要な各種プログラムなどを記憶したＲＯＭ１４とを備える。
【００１３】
また、カメラ付きドアホン１は、テレビインターホンが接続され、テレビインターホンへ出力すべき映像信号、音声信号を多重化したり、テレビインターホンから多重化されて入力した音声信号、電源を分離する多重化／分離部１５と、呼出ボタン１６Ａを有する操作部１６と、カメラＣで撮影した映像を記録する映像メモリ１７と、マイクＭＩを通じて入力された音声メッセージを記録する音声メモリ１８と、後述する処理をする電子メール作成部１９と、このカメラ付きドアホン１を、通信ネットワークの１つであるインターネットに接続するためのインタフェース２０とを備える。
【００１４】
このカメラ付きドアホン１では、住人の留守に備えて、留守番モード機能を備えており、この機能を実行する際の動作に特徴がある。これについて、図２のフローチャートとともに説明する。
【００１５】
すなわち、留守番モードを実行中には、カメラ付きドアホン１は、操作部１６のすべての操作キーの操作を監視（キースキャン）しており（１００）、来訪者が呼出ボタン１６Ａを操作したときには（１０１）、このカメラ付きドアホン１が動作するのに必要な電源が供給され、カメラＣなど撮影に必要な回路を動作させて、来訪者の撮影を開始する（１０２）。また、マイクＭＩ、スピーカＳＰなど、通話に必要な回路を動作させる。
【００１６】
そして、スピーカＳＰより、来訪者に対して音声メッセージの入力を促す所定メッセージを出力させ、マイクＭＩを通じた来訪者からの音声メッセージの録音を開始する（１０３）。
【００１７】
カメラＣによる来訪者の映像は、映像処理部１１により所定の映像信号に変換されてから映像メモリ１７に記録され、マイクＭＩを通じた来訪者からの音声メッセージは、音声処理部１２により所定の音声信号に変換されてから音声メモリ１８に記録される。
【００１８】
そして、所定時間が経過すれば（１０４）、来訪者からの音声メッセージの録音を終了する（１０５）。ついで、電子メール作成部１９によって、映像メモリ１７から来訪者の映像を読み出し、所定の画像ファイルに変換する。また、音声メモリ１８から来訪者からの音声メッセージを読み出し、所定の音声ファイルに変換する。その後、ＲＡＭ１３に登録されたメールアドレスを送信先とした電子メールを作成する。この電子メールには、住人の留守中に来客があったことを通知する所定メッセージが記載され、更に電子メール作成部１９は、作成した電子メールに、先述した映像ファイル、音声ファイルを添付ファイルとして添付し、インターネットに送信する（１０６）。なお、映像ファイルは、インターネットなどの通信ネットワーク上で扱うことのできる形式であればどのような形式であってもよく、例えば、ＡＶＩ形式やＭＰＥＧ形式などの動画ファイル、ＴＩＦＦ形式やＪＰＥＧ形式などの静止画ファイルを用いることができる。
【００１９】
また、音声ファイルは、インターネットなどの通信ネットワーク上で扱うことのできる形式であればどのような形式であってもよく、例えば、ＷＡＶＥ形式やＭＰ３形式を用いることができる。
【００２０】
このようにして送信された電子メールを、外出先のパソコンなどの通信端末機を用いて、インターネットＮにアクセスすることで受信すると、住人は、記載されたメッセージを参照して、外出中に来客があったことを確認でき、更に、添付された映像ファイルを開くことで来訪者の顔を確認し、添付された音声ファイルを開くことで来訪者からの音声メッセージを確認することができる。
【００２１】
【発明の効果】
以上の説明からも理解できるように、本発明の請求項１に記載のカメラ付きドアホンでは、留守番モードの実行時に呼出操作がされたときには、来訪者を撮影し、予め登録されたメールアドレスを送信先とした電子メールを、撮影した来訪者の映像を添付ファイルとして添付して、通信ネットワークに送信するので、住人が、外出先から、パソコンや携帯電話機などを用いて通信ネットワークにアクセスすることによって電子メールを受信し、その電子メールの添付ファイルを参照して、留守中の来訪者の映像を確認することができる。
【００２２】
請求項２に記載のカメラ付きドアホンでは、来客の音声メッセージを更に録音するようになっており、録音した音声メッセージを、来訪者の映像とともに電子メールに添付ファイルとして添付するので、請求項１の効果に加えて、電子メールの添付ファイルを参照して、留守中の来訪者の音声を確認することができる。
【００２３】
請求項３に記載のカメラ付きドアホンでは、電子メールには、留守中の来客があったことを通知する所定メッセージが記載されているので、その電子メールを参照すれば、留守中に来客があった旨を容易に確認することができる。
【図面の簡単な説明】
【図１】本発明のカメラ付きドアホンの要部構成の一例を示す図である。
【図２】カメラ付きドアホンの動作の一例について説明するための図である。
【符号の説明】
１・・・カメラ付きドアホン
１６Ａ・・・呼出ボタン
１７・・・映像メモリ
１８・・・音声メモリ
１９・・電子メール作成部
Ｎ・・・インターネット
【図１】
0004186416.tif 000002
【図２】
0004186416.tif 000003